(57)【要約】【課題】熟練を要さず短時間で盛花祭壇を作れるようにする。【解決手段】盛花祭壇用ベースＡは、左右方向に細長いほぼ等しい長さの第１容器１０と第２容器２０を備えている。第２容器２０は、前後方向の寸法が第１容器１０より小さく第１容器１０の後部に載るようにして着脱可能に連結される。第１容器１０の前部が下段ベース部１９を提供し、第２容器２０が上段ベース部２９を提供する。前側の下段ベース部１９に対して後側の上段ベース部２９は高くなっている。これらベース部１９，２９の収容スペース１５，２５に、発泡樹脂からなる保持体５０がそれぞれ収容される。これら保持体５０に、多数の花を挿し込んで盛花祭壇を構成する。【選択図】　図１
2004073551.tif 000002
【特許請求の範囲】
【請求項１】
上部が開放された収容スペースを有して前側に位置する下段ベース部と、上部が開放された収容スペースを有して後側に位置し、下段ベース部より高い上段ベース部とを備え、これらベース部の収容スペースに、花を差し込んで保持する保持体を、それぞれ収容することを特徴とする盛花祭壇用ベース。
【請求項２】
下段ベース部の収容スペースは上記保持体の高さより低い寸法を有し、上段ベース部の収容スペースは上記保持体の高さより深い寸法を有していることを特徴とする請求項１に記載の盛花祭壇用ベース。
【請求項３】
上部が開放された左右方向の長さがほぼ等しい第１，第２容器を備え、第２容器は、前後方向の寸法が第１容器より小さく第１容器の後部に載るようにして着脱可能に連結され、第１容器の前部が上記下段ベース部を提供し、第２容器が上段ベース部を提供することを特徴とする請求項１または２に記載の盛花祭壇用ベース。
【請求項４】
上記第１容器の上端縁には全周にわたって水平に外側に張り出す鍔が形成され、第２容器の下端の左右縁および後縁には水平に外側に張り出す鍔が形成され、第２容器の鍔が第１容器の鍔に載せられた状態で第２容器が第１容器に連結されることを特徴とする請求項３に記載の盛花祭壇用ベース。
【請求項５】
上記第１容器の起立壁が内側に傾斜していることを特徴とする請求項３または４に記載の盛花祭壇用ベース。
【請求項６】
上記第２容器は、その中間部に上段ベース部の収容スペースの底面となる底壁を有し、この底壁は第１容器から上方に離れて配置されていることを特徴とする請求項３〜５のいずれかに記載の盛花祭壇用ベース。
【請求項７】
上記第１，第２容器が左右に細長く形成されていることを特徴とする請求項３〜６のいずれかに記載の盛花祭壇用ベース。
【発明の詳細な説明】
【０００１】
【発明の属する技術分野】
本発明は、葬式等の盛花祭壇において盛花を保持するベースに関する。
【０００２】
【従来の技術】
葬式の際には遺影を囲むようにして盛花祭壇が設けられる。この祭壇は雛段をなしており、前が低く後が高くなっている。祭壇の各段の棚には浅い皿形状をなすベースが左右に多数並べられている。このベースには発泡樹脂からなる保持体が１個ずつ載せられている。各保持体は複数の花が挿し込まれて保持され、全体として多数の花が祭壇を飾るようになっている。
【０００３】
【発明が解決しようとする課題】
ところで、上記花を同一長さにして垂直に挿し込むと、前段の花と後段の花は不連続に見えてしまう。そのため、各段において前に位置する花を短くするとともに前に大きく傾け、後ろに向かうにしたがって花を長くするとともに垂直に立てている。しかし、この作業は熟練を要するとともに時間がかかった。
【０００４】
【課題を解決するための手段】
本発明は上記課題を解決するためになされたものであり、その要旨は、上部が開放された収容スペースを有して前側に位置する下段ベース部と、上部が開放された収容スペースを有して後側に位置し、下段ベース部より高い上段ベース部とを備え、これらベース部の収容スペースに、花を差し込んで保持する保持体を、それぞれ収容することを特徴とする盛花祭壇用ベースにある。
この構成によれば、花を下段ベース部と上段ベース部の保持体にそれぞれ差しこむことにより、花の長さを厳密に調節する等の熟練作業を必要とせず、短時間で、花弁を一様に分布するように盛花祭壇を作ることができる。
【０００５】
好ましくは、下段ベース部の収容スペースは上記保持体の高さより低い寸法を有し、上段ベース部の収容スペースは上記保持体の高さより深い寸法を有している。この構成によれば、下段ベース部に載せた保持体は下段ベース部から上方に突出しており、花を前側に倒すことが容易となり、花弁を上下方向に広く分布させることができる。また、上段ベース部は深いので特に生花の場合に十分な水を蓄えることができる。
【０００６】
好ましくは、上部が開放された左右方向の長さがほぼ等しい第１，第２容器を備え、第２容器は、前後方向の寸法が第１容器より小さく第１容器の後部に載るようにして着脱可能に連結され、第１容器の前部が上記下段ベース部を提供し、第２容器が上段ベース部を提供する。これによれば、第２容器を取り外すことにより、第１容器を単独で用いることができる。
【０００７】
好ましくは、上記第１容器の上端縁には全周にわたって水平に外側に張り出す鍔が形成され、第２容器の下端の左右縁および後縁には水平に外側に張り出す鍔が形成され、第２容器の鍔が第１容器の鍔に載せられた状態で第２容器が第１容器に連結される。これにより、第２容器を安定して第１容器に連結することができる。
また、上記第１容器の起立壁を内側に傾斜させれば、第１容器を単独で用い、保水状態にある保持体を第１容器のほぼ全域を占めるように収容しても、保持体に花を挿した時に、この傾斜した起立壁と保持体の間の隙間で保持体から出た水を受けることができ、第１容器から水が溢れるのを防止することができる。
【０００８】
好ましくは、上記第２容器は、その中間部に上段ベース部の収容スペースの底面となる底壁を有し、この底壁は第１容器から上方に離れて配置されている。この構成によれば、下段ベース部と上段ベース部に保持される保持面の段差を十分に確保することができる。
【０００９】
好ましくは、上記第１，第２容器が左右に細長く形成されている。これにより祭壇の各段に設置するベースの数を少なくすることができ、また、多くの花を祭壇とは別の場所で活けて祭壇に持ち込むことも可能となり、作業性がより一層向上する。
【００１０】
【発明の実施の形態】
以下、本発明の第１実施形態をなす盛花祭壇用ベースについて図１〜図５を参照して説明する。図１，図２に示すように、盛花祭壇用ベースＡは、左右に細長い長方形状に形成された第１容器１０と第２容器２０とを備えている。
【００１１】
図２，図４，図５に示すように、第１容器１０は、１枚のアルミ板を折り曲げて溶接することにより浅い皿形状に形成されており、底壁１１と４つの起立壁１２を有している。
【００１２】
図５に示すように、第１容器１０の前後の起立壁１２は内側に傾斜している。これら起立壁１２と底壁１１とがなす角度Θは例えば８７°となっている。第１容器１０の４つの起立壁１２の上縁には、断面Ｌ字形の鍔１３が形成されている。この鍔１３は、持ち運びの際の把手となるものであり、水平部とその先端縁から下方に延びる垂直部とを有している。後縁の鍔１３の水平部および左右縁の鍔１３の水平部の後部には、ネジ穴１３ａが形成されている。
【００１３】
第２容器２０は、第１容器１０とほぼ同一長さを有し、ほぼ半分の幅（前後方向の寸法）を有している。第２容器２０は２つの構成体２０ａ，２０ｂからなる。上側の構成体２０ａは、１枚のアルミ板を折り曲げて溶接することにより比較的深く形成され、図３に示すように底壁２１と左右，前後の４つの起立壁２２を有している。これら壁２１，２２により上部が開放した収容スペース２５を形成している。４つの起立壁２２の上縁には断面Ｌ字形をなす鍔部２３が形成されている。構成体２０ａは、上段ベース部として提供される。以下、この上段ベース部には符号２９を付して説明する。
【００１４】
下側の構成体２０ｂ（載置台）も１枚のアルミ板を折り曲げて溶接することにより形成され、図３に示すように上壁２６と左右，前後の４つの垂下壁２７を有している。構成体２０ａ，２０ｂはその底壁２１と上壁２６を接した状態で溶接により連結されている。構成体２０ｂの左右および後側の垂下壁２７の下端縁には、水平をなす鍔２８が形成されている。この鍔２８には上記第１容器１０の鍔１３のネジ穴１３ａに対応して貫通穴２８ａが形成されている。
【００１５】
第２容器２０は第１容器１０の後部に載せられて着脱可能に連結されている。すなわち、第２容器２０の鍔２８を第１容器１０の鍔１３の水平部に載せ、ネジ３０を鍔２８の貫通穴２８ａから鍔１３のネジ穴１３ａにネジ込むことにより連結されている。鍔１３，２８が当接しているので、連結状態は安定している。
【００１６】
上記のように容器１０，２０を連結することにより構成された盛花祭壇用ベースＡにおいて、第１容器１０の前部が下段ベース部１９として提供される。下段ベース部１９の収容スペース１５は、第１容器１０の収容スペースのうち前側の部分により構成されている。
【００１７】
これらベース部１９，２９には、細長いブロック形状をなす複数の発泡樹脂製の保持体５０が並べられて設置される。本実施形態では、この保持体５０は保水性を有している。
【００１８】
本実施形態では、保持体５０と第１容器１０，第２容器２０の寸法は特殊な関係を有している。すなわち、保持体５０の長さは、第１容器１０の前後方向の内寸法（前後の起立壁１２の上端間の寸法）とほぼ等しくなっている。また、保持体５０の幅は、その長さのほぼ半分、厳密には半分より若干小さくなっており、下段ベース部１９の収容スペース１５および上段ベース部２９の収容スペース２５の幅と等しくなっている。また、保持体５０の幅の整数倍が第１容器１０の左右方向の内寸法とほぼ等しくなっている。
【００１９】
保持体５０は図１，図３に示すように下段ベース部１９の収容空間１５および上段ベース部２９の収容空間２５にほぼ隙間無く並べられて収容される。なお、各収容空間１５、２５に収容される複数の保持体５０のうち１個は並んだ保持体５０の合計長さを収容スペース１５、２５に合わせるために、切断される。
【００２０】
下段ベース部１９において、保持体５０の高さが下段ベース部１９の収容スペース１５の深さより大であるので、保持体５０の上部が下段ベース部１９の上縁より突出している。なお、保持体５０の背面上部は第２容器２０の前側の垂下壁２７にほぼ接していて、後方への移動を禁じられている。保持体５０は十分に吸水した状態で、下段ベース部１９に設置されるが、第１容器１０において下段ベース部１９の後側の収容スペースにも水が張られており、保持体５０への水の補給を可能にしている。
【００２１】
上段ベース部２９において、保持体５０の高さが上段ベース部２９の収容スペース２５の深さより小であるので、保持体５０は上段ベース部２９の上縁から埋没している。保持体５０は十分に吸水した状態で、上段ベース部２９に設置されるが、保持体５０の上まで水が張られており、保持体５０への水の補給を可能にしている。
【００２２】
図３に示すように、上記保持体５０を設置した祭壇ベースＡは、祭壇の各棚Ｂに並べて設置する。上下の棚Ｂの高さの差をＨとすると、祭壇ベースＡの下段ベース部１９と上段ベース部２９の高さの差はＨ／２となっている。したがって、図３に示すように、保持体５０の上面はＨ／２の高さの差をもって、上下に配置されている。第２容器２０の下側の構成体２０ｂは、下段ベース部１９と上段ベース部２９の高さの差を十分に確保するためのものであり、祭壇の高さＨに応じて構成体２０ｂの高さの異なる第２容器２０が用いられる。
【００２３】
上記のように祭壇に設置されたベースＡの保持体５０に、生花を挿し込む。この生花は、ほぼ同一長さにし、その傾きを調整するだけで、前方から見て短い間隔で花弁を上下に配置することができる。下段ベース部１９では保持体５０が突出しているので、生花を大きく傾けることも可能である。この要領で各棚Ｂの全長にわたって生花を配置することにより、祭壇全域にわたってほぼ均一に花弁を配することができる。この際、生花の長さを調整する作業を省略することが可能であるので、熟練を要さず短時間で生花の配置作業を行うことができる。また、このベースＡは左右に細長く形成されており、１つのベースＡに従来より多くの花を挿すことができるので、祭壇から離れた作業所で花を活ける作業を行うことができ、作業性を向上できる。
【００２４】
第２容器２０はネジ３０を外すことにより第１容器１０から取り外すことができるので、上記第１容器１０は単独でも用いることができる。この場合、保持体５０は図４に示すように第１容器１０の収容スペースの全域にわたって隙間無く並べられる。保持体５０の保水状態で生花を保持体５０に挿すと、この挿した茎の体積に対応する水が保持体５０から出てくるが、図５に示すように、第１容器１０の前後の起立壁１２が内側に傾斜していて、保持体５０とこれら起立壁１２との間に隙間Ｓが形成されているので、この隙間Ｓで余分となった水を受け入れることができ、第１容器１０から水が溢れるのを防ぐことができる。
【００２５】
第２容器２０を第１容器１０に着脱可能に連結する手段として、ネジの代わりに図６に示す止め金４０を用いてもよい。この止め金４０は、第２容器の下側の構成体の垂下壁２７に固定されたサポート４１と、このサポート４１に下端が回動可能に設けられた回動つまみ４２と、この回動つまみ４２において、上記回動支点より上方に取り付けられた止め輪４３とを有している。第１容器の起立壁１２の鍔１３および第２容器の鍔２８には切欠１３ｘ，２８ｘが形成されている。鍔１３の水平部は切欠１３ｘの中央で一部残されており、この部位が係止爪１３ｙとなっている。この係止爪１３ｙの先端部下面には小板が固定されていて係止凸部１３ｚとなっている。この止め金４０については公知のものなので簡単に説明するが、止め輪４３を係止爪１３ｙの奥に引掛けながら回動つまみ４２を垂下壁２７に向かって回すことにより、第１容器１０と第２容器２０の連結がなされ、回動つまみ４２を反対方向に回して止め輪４３を係止爪１３ｙから外すことにより、連結が解除される。
【００２６】
本発明は上記実施形態に制約されず種々の形態を採用可能である。例えば保持体に挿す花は生花ではなく造花でもよい。この場合保持体は保水機能を持たなくてもよい。
【００２７】
【発明の効果】
以上説明したように本発明のベースを用いれば、盛花祭壇を作る作業を熟練を要さず短時間で行うことができる。
【図面の簡単な説明】
【図１】本発明の第１実施形態をなす盛花祭壇用ベースの斜視図である。
【図２】同ベースの分解斜視図である。
【図３】同ベースを祭壇に設置した状態を示す縦断面図である。
【図４】同ベースの第１容器を示す平面図である。
【図５】同第１容器の縦断面図である。
【図６】第１，第２の容器を着脱可能に連結する手段の他の態様を示す斜視図である。
【符号の説明】
１０　第１容器
１２　起立壁
１５　収容スペース
１９　下段ベース部
２０　第２容器
２５　収容スペース
２１　収容スペースの底壁
２９　上段ベース部
５０　保持体
【図１】
2004073551.tif 000003
【図２】
2004073551.tif 000004
【図３】
2004073551.tif 000005
【図４】
2004073551.tif 000006
【図５】
2004073551.tif 000007
【図６】
2004073551.tif 000008